(57)【特許請求の範囲】
【請求項１】
通話・通信回路、およびテンキー等を備えた入力手段を有する本体ユニットと、液晶画面または有機ＥＬ画面であるモニター画面を備え、前記操作本体に着脱可能に取り付けられた主モニターユニットと、および液晶画面または有機ＥＬ画面であるモニター画面を備え、前記操作本体または前記主モニターユニットに着脱可能に取り付けられた１つ以上の副モニターユニットを備えている携帯電話機であって、
前記主モニターユニットおよび前記１つ以上の副モニターユニットのうち、前記主モニターユニットおよび前記副モニターユニットは、その画面が、テンキー等を備えた操作画面に切り替えることができるようになっているモニター・操作体兼用器になっており、このモニター・操作体兼用器は、前記操作本体の通話・通信回路とは別の通話・通信回路を備え、単独の携帯電話機として機能できるようになっており、前記本体ユニットには、全てのモニターユニットと無線通信ができる対モニターユニット用通信手段、およびモニターユニット接続検知手段を備え、前記対モニターユニット用通信手段は、前記モニターユニット接続検知手段の判定結果に従って、主モニターユニットおよび副モニターユニットのいずれかまたは両方と応答をし、モニター画面と操作画面の切り換えを指示するようになっており、前記操作本体と全てのモニターユニットおよびモニターユニット同士は、互いに通話のみならず、無線通信ができるようになっていることを特徴とする携帯電話機。
【請求項２】
全てのモニターユニットが、操作本体またはモニターユニットに取り付けられているとき、操作本体の通話・通信回路のみが作用するようになっている請求項１の携帯電話機。
【請求項３】
前記モニターユニットは、操作本体または他のモニターユニットから取り外されると自動的に、画面がモニター画面から操作画面に切り替わるようになっている請求項１または２の携帯電話機。
【請求項４】
主モニターユニットおよび副モニターユニットのモニター画面がタッチパネルになっており、データを送信できるようになっている請求項１〜３のいずれかの携帯電話機。
【発明の詳細な説明】
【技術分野】
【０００１】
本発明は、携帯電話機に関し、更に詳細には、本体ユニットとモニターユニットとが着脱可能に構成された携帯電話機に関するものである。
【背景技術】
【０００２】
近年、本体ユニットとモニターユニットとを着脱可能な構造とした携帯電話が提供されるようになってきている。
【０００３】
例えば、特許４３４７７８０号公報には、操作部である本体ユニットとモニターユニットとを着脱可能に構成しつつ、モニターユニットの主表示画面とは別に、本体ユニットに副表示部を設けた携帯電話が提示されている。これは、携帯電話の使用者が、通常の音声通話と同時に、検索サービス等を利用した情報の閲覧を行なう際の利便性の確保を課題としている。
【先行技術文献】
【特許文献】
【０００４】
【特許文献１】特許４３４７７８０号公報
【発明の開示】
【発明が解決しようとする課題】
【０００５】
しかし、当該発明では本体ユニットが有する副表示部の表示面積は狭く、表示できるデータの量が限られたものであった。そのため、例えば電気通信回線を通じて株式・為替取引を行なう「オンライントレーディング」のような、より多くの情報を処理し、ディスプレイに表示すべきの用途に使用する場合を想定すると、十分な量の表示データや迅速な操作を提供できないという問題点を有していた。
【０００６】
本発明は、このような課題に着目してなされたものであって、主たる目的は、「オンライントレーディング」のような、多くの情報を取得し処理し表示すべき用途にあっても実用性の高い高機能な携帯電話機を提供することにある。
【課題を解決するための手段】
【０００７】
本発明の携帯電話機は、操作本体である本体ユニットと、表示部である主モニターユニットおよび１つ以上の副モニターユニットから構成される。
【０００８】
具体的には、本体ユニットは通話・通信回路、およびテンキー等を備えた入力手段を備えており、
主モニターユニットは、液晶画面または有機ＥＬ画面であるモニター画面を備え前記本体ユニットに着脱可能に取り付けられており、
副モニターユニットは、液晶画面または有機ＥＬ画面であるモニター画面を備え、本体ユニットまたは主モニターユニットに着脱可能に取り付けられて構成されている。ここで取り付けられる副モニターユニットの数は一つに限られず、複数であってもよい。
【０００９】
主モニターユニットおよび副モニターユニットのうち少なくとも１つのモニターユニットは、その画面がテンキー等を備えた操作画面に切り替えることができるようになっているモニター・操作体兼用器になっており、このモニター・操作体兼用器であるモニターユニットは、本体ユニットの通話・通信回路とは別の通話・通信回路を備え、単独の携帯電話機として機能できるようになっていることを特徴とする。
【００１０】
本体ユニットと全てのモニターユニット、およびモニターユニット同士は、相互に無線通信ができるようになっている。また、全てのモニターユニットが、操作本体またはモニターユニットに取り付けられているときは、操作本体の通話・通信回路のみが作用するようになっていることが好ましい。
【００１１】
さらに、通話・通信回路を備えているモニター・操作体兼用器であるモニターユニットは、操作本体または他のモニターユニットから取り外されたことを検知すると、自動的にそのディスプレイがモニター画面から操作画面に切り替わるようになっていることが好ましい。
【００１２】
本発明によれば、本体ユニットと、主モニターユニット、副モニターユニットとをそれぞれ離して別々にして使用でき、かつ、少なくとも１つのモニターユニットが、そのモニター画面をテンキー等を備えた操作画面に切り替えることができることで、表示画面と入力装置を一体的に用いた直感的な操作が可能となる。
【００１３】
すなわち、本発明によれば、複雑な送受信操作を要する用途にあっても大幅に利便性を向上させた携帯電話機を提供できる。例えば、「オンライントレーディング」に利用する場合に、チャート画面と注文画面を別々のモニターユニットに表示し、かつ注文画面を表示するモニターユニットを入力装置として使用することで、迅速な注文操作をすることができる。
主モニターユニットおよび副モニターユニットのモニター画面の少なくとも一方がタッチパネルになっており、データを送信できるようになっていることが好ましい。
【発明の効果】
【００１４】
本発明による携帯電話機は、主モニターユニットの他に、副モニターユニットを備えることで、表示内容の異なる複数の画面を同時に提供できる。
さらに、副モニターユニットを主モニターユニットと同等の画面面積を有するものとして構成することにより、表示項目の多いデータを一度に表示させる場合にも、ユーザーに高い視認性を提供することができる。
【００１５】
また、モニター・操作体兼用器であるモニターユニットのモニター画面を操作画面に切り替えて使用できることで、操作本体の操作ボタンの操作を介さない、直感的でスムーズな操作を実現できる。ここでモニター・操作体兼用器は、前記操作本体の通話・通信回路とは別の通話・通信回路を備えているので、データ取得・表示・送信等に際して操作本体の情報処理機能に負荷を与えることなく、効率的に所望の機能を発揮できる。
【００１６】
また、操作本体と全てのモニターユニットおよびモニターユニット同士は、無線通信ができるようになっているので、各モニターユニット間で即時的に連係した表示をさせることができる。
【００１７】
また、全てのモニターユニットが、本体ユニットまたは他のモニターユニットに取り付けられているとき、操作本体である本体ユニットの通話・通信回路のみが作用するようになっており、かつモニター・操作体兼用器であるモニターユニットは、本体ユニットまたは他のモニターユニットから取り外されると自動的に、その画面がモニター画面から操作画面に切り替わるようになっているので、操作が無用に複雑化することもなく、迅速な操作が可能となる。
【００１８】
すなわち、本発明によれば、複数の画面を用いてデータの閲覧とデータ送信を並行して行なう用途にあっても大幅に利便性を向上させた高機能な携帯電話機を提供することができる。
【００１９】
また、本発明の携帯電話機によれば、モニター・操作体兼用器であるモニターユニットが、単独の携帯電話機として機能できるようになっているので、親子で大きな遊園地などに遊びに行った際に、例えば、モニター・操作体兼用器であるモニターユニットを子供に持たせておけば、迷子になったときにも、連絡がつきやすい。なお、本体ユニットとモニターユニットとのあいだ、もしくはモニターユニット同士の間の無線通信機能が有効な間、すなわち無線が届く距離の間は、この無線機能を有効に用いて（すなわち、親機、子機の関係である）を用いて相互の通話を行うことが好ましい。コストが掛からないからである。また、少なくとも子供に渡すユニットには、ＧＰＳ機能を付けておくことが好ましい。子供が電話を掛けられないような幼い子のような場合であっても、子供の位置が分かるからである。
【発明を実施するための形態】
【００２０】
以下、本発明の一実施形態を、図面を参照して説明する。
本発明に係る携帯電話機Ｍは、図１、図２、図３に示すように、本体ユニット１と、前記本体ユニット１に着脱可能に取り付けられた主モニターユニット２と、前記本体ユニット１に着脱可能に取り付けられた副モニターユニット３から構成されている。
携帯電話機Ｍは、図２、図３に示すようにコンパクトに折り畳むことができるようになっている。
本体ユニット１、主モニターユニット２および副モニターユニット３は、どのような位置関係であっても良い。例えば、図１において、副モニターユニット３の位置に主モニターユニット１を、本体ユニット１の位置に主モニターユニット２を、そして主モニターユニット２の位置に副モニターユニット３を持っていってもよい。この場合には、主モニターユニット１の裏面側にテンキー等を配置する。そして、主モニターユニットにマイクを、副モニターユニットにスピーカーを設けることにより、折りたたんだ状態から、副モニターユニット３を開けただけで、通話が可能となる。
【００２１】
本体ユニット１は、図１、図２、図３に示すように、本体ユニット筐体部１０と、その表面に設けた方向キーおよびテンキー等の操作ボタン１０２と、その本体ユニット筐体部１０の内部に本体ユニット制御部１０４（図４参照）、通話・通信回路１ａ、対モニターユニット用通信手段１ｂ、モニターユニット接続検知手段１ｃおよびその他の周辺機器(図示せず)等を備えている。本体ユニット制御部１０４はＣＰＵ１０４ａやメモリ１０４ｂ等から構成されており、その他の周辺機器は、無線回路や通信用アンテナや音声出入力インターフェースやバッテリー等の周辺機器を含む。
【００２２】
本体ユニット筐体部１０は、その上端部に係合部Ｃ１ａを備え、その下端部に係合部Ｃ１ｂを備えている。
【００２３】
本体ユニット制御部１０４は、図４に示すように、ＣＰＵ１０４ａ、メモリ１０４ｂ等を備えており、前記ＣＰＵ１０４ａは、メモリ１０４ｂに記憶されたプログラムにしたがって、通話・通信回路１ａ、対モニターユニット用通信手段１ｂ、モニターユニット接続検知手段１ｃを作動制御する。
【００２４】
本体ユニット１の通話・通信回路１ａは、電話・電子メール・データ通信等の通信を基地局・中継局等を介して通信先と行なうものである。
【００２５】
対モニターユニット用通信手段１ｂは、モニターユニット接続検知手段１ｃの判定結果および本体ユニット制御部１０４の情報処理の結果に従って、主モニターユニット２および副モニターユニット３のいずれかまたは両方と応答をし、情報のやり取りまたはモニター画面と操作画面の切り換えを指示するものである。ここで、モニターユニット接続検知手段１ｃによりユニット同士が取り外されていると判断した状態であれば、後に説明するように無線通信を利用する。
【００２６】
モニターユニット接続検知手段１ｃは、主モニターユニット２および副モニターユニット３のいずれかまたは両方と係合部Ｃ１ａとＣ２、Ｃ１ｂとＣ３を介して接続されているか否かを検知するものである。ここで、検知方法は電気的に検知する方法を採用しているが、これに限らず機械的に検知する方法を採用しても良い。
【００２７】
主モニターユニット２は、図１、図２、図３、図４に示すように、主モニターユニット筐体部２０と、その表面に液晶画面または有機ＥＬ画面である主モニター画面２０３と、その主モニターユニット筐体部２０の内部にＣＰＵ２０４ａ
やメモリ２０４ｂからなる主モニターユニット制御部２０４を備えており、本体ユニット１とは別の通話・通信回路２ａや通信用アンテナ、バッテリー等の周辺機器（図示せず）を備えている。
【００２８】
副モニターユニット３は、図１、図２、図３、図４に示すように、副モニターユニット筐体部３０と、その表面に液晶画面または有機ＥＬ画面である副モニター画面３０３と、その副モニターユニット筐体部３０の内部にＣＰＵ３０４ａ
やメモリ３０４ｂからなる副モニターユニット制御部３０４を備えており、本体ユニット１とは別の通話・通信回路３ａや通信用アンテナ、バッテリー等の周辺機器（図示せず）を備えている。
【００２９】
主モニターユニット２および副モニターユニット３は、それぞれのモニター画面２０３および３０３が、テンキー等を備えた操作画面に切り替えることができるモニター・操作体兼用器となっている。なお、本体ユニット１のテンキー等の操作キーも、これと同様、液晶画面または有機ＥＬ画面を持つ操作画面で表示し、タッチパネル方式で操作するようにしてもよい。
【００３０】
また主モニターユニット２および副モニターユニット３はいずれも、前記本体ユニット１の通話・通信回路とは別の通話・通信回路２ａ、３ａをそれぞれ備え、単独の携帯電話機として機能できるようになっている。
【００３１】
主モニターユニット制御部２０４は、図４に示すように、そのメモリ２０４ｂに記憶されたプログラムにしたがって、前記ＣＰＵ２０４ａや周辺機器を作動し、主モニターユニット２の通話・通信回路を動作させ、データ通信等の通信を基地局・中継局等を介して通信先と行なうとともに、対本体ユニット用通信手段２ｂ、主モニター画面表示手段２ｃ等を作動制御する。
【００３２】
副モニターユニット制御部３０４は、メモリ３０４ｂに記憶されたプログラムにしたがって、前記ＣＰＵ３０４ａや周辺機器を作動し、副モニターユニット３の通話・通信回路を動作させ、データ通信等の通信を基地局・中継局等を介して通信先と行なうとともに、対本体ユニット用通信手段３ｂ、副モニター画面表示手段３ｃ等を作動制御する。
【００３３】
主モニターユニット筐体２０は、その端部に本体ユニット１の係合部Ｃ１ａと着脱可能に係合される被係合部Ｃ２を備えている。また副モニターユニット筐体３０は、その端部に本体ユニット１の係合部Ｃ１ｂと着脱可能に係合される係合部Ｃ３を備えている。
【００３４】
それぞれのユニットは図１、図２、図３に示すように、係合部Ｃ１ａとＣ２、Ｃ１ｂとＣ３を介して係合している。ここで、係合部Ｃ１ａとＣ２、Ｃ１ｂとＣ３はいずれも電気的接点としても機能し、各ユニットを電気的に連絡している。
【００３５】
また、本体ユニット１と各モニターユニット２と３、およびモニターユニット２と３同士は、互いに無線通信ができるようになっている。ここで無線通信には、Ｂｌｕｅｔｏｏｔｈ（登録商標）やＵＷＢ等のデジタル機器用短距離無線技術が用いられる。
【００３６】
具体的に、各ユニットの係合状態と、通話・通信回路の作用状態との関係を示すと、図５のように表される。すなわち、（１）本体ユニット１に主モニターユニット２および副モニターユニット３がともに係合されている場合、本体ユニット１の通話・通信回路のみが有効に作用し、主モニターユニット２および副モニターユニット３の通話・通信回路は作用しないようになっている。
（２）本体ユニット１に主モニターユニット２が係合されておらず副モニターユニット３のみが係合されている場合、本体ユニット１の通話・通信回路が作用するとともに、主モニターユニット２の通話・通信回路も有効に作用するが、副モニターユニット３の通信・通話回路は作用しないようになっている。
（３）本体ユニット１に主モニターユニット２のみが係合されており、副モニターユニット３が係合されていない場合、本体ユニット１の通話・通信回路が作用するとともに、主モニターユニット２の通話・通信回路も有効に作用するが、副モニターユニット３の通信・通話回路は作用しないようになっている。
（４）本体ユニット１に主モニターユニット２および副モニターユニット３がともに係合されていない場合、本体ユニット１の通話・通信回路が作用するとともに、主モニターユニット２および副モニターユニット３の通話・通信回路が有効に作用する。
【００３７】
ここで、主モニターユニット２または副モニターユニット３が、本体ユニット１との係合状態から取り外されると、主モニターユニット制御部２０４は自動的に主モニター画面２０３をテンキー等を備えた操作画面に切り替えるようになっている。また、本体ユニット１との係合状態から取り外されると、副モニターユニット制御部３０４は自動的に副モニター画面３０３をテンキー等を備えた操作画面に切り替えるようになっている。
【００３８】
次に、本発明の実施の形態による携帯電話機を、オンライントレーディングに使用する方法について説明する。
【００３９】
インターネットを利用して株式や為替などを売買するオンライントレーディングにおいて、従来は取引ツールとしてパーソナルコンピューターが利用されてきたが、最近では、移動中や外出先でも注文を行なえる携帯電話による取引も行なわれている。
【００４０】
株式・為替市場等の流動性は高く、ごく短時間に大幅な相場の変動を生じる場合も多い。そこで、パーソナルコンピューターを利用する場合、複数のディスプレイを使用する方法が有利である。すなわち、一のディスプレイにチャート画面等の取引ツールを表示させ市場動向をモニターしつつ、他のディスプレイに取引画面を表示させ注文をすることで、画面表示の切り換えの手間を省き、迅速な注文操作を行える有利性があるからである。
【００４１】
しかし、携帯電話を取引に利用する場合、一画面におけるディスプレイ画面の表示面積が狭いため、上記のように複数の画面を表示させると、一の表示画面が、他の表示画面の一部または全部を隠してしまうことが避けられない。
このため、チャート画面を閲覧し取引のタイミングを判断してから、取引画面に切り換え表示をさせた上で、注文操作に移る必要があり、パーソナルコンピューターを利用する場合と比べて注文手順が複雑かつ煩瑣であり、取引の迅速性を欠く不利性があった。さらに、上記の表示画面切り換えの際に、必要な画面を閉じてしまうミスタッチなどの誤操作のおそれもあった。
【００４２】
そこで、本実施形態による携帯電話機Ｍを利用することにより、以下のように、オンライントレーディングにおいても好適な操作性を確保できる。
【００４３】
本実施形態による携帯電話機Ｍは、ユーザーの操作に従って以下のように機能する。
【００４４】
本体ユニット１において本体ユニット制御部１０４は、通話・通信回路１ａにより基地局・中継局等を介して、オンライン証券会社等の通信先と応答しオンライン取引に必要な情報を取得し、ＣＰＵ
１０４ａやメモリ１０４ｂ等を作動させ情報処理を行なう。
【００４５】
本体ユニット１は、対モニターユニット用通信手段１ｂにより主モニターユニット２と通信し、通信先から取得した取引画面に係る情報を主モニターユニット制御部２０４に伝達する。主モニターユニット制御部２０４は当該情報に基づいてＣＰＵ
２０４ａやメモリ２０４ｂ等を作動させ、主モニター画面２０３に、売買注文を行なう取引画面を表示させる。ここで、主モニターユニット２が、独立した通話・通信回路を使用した通話・通信回路２ａにより基地局等を介して、直接に通信先と応答し必要な情報を取得することができる。
【００４６】
また、本体ユニット１は、対モニターユニット用通信手段１ｂにより副モニターユニット３と通信し、通信先から取得した取引画面に係る情報を副モニターユニット制御部３０４に伝達する。副モニターユニット３０４は当該情報に基づいてＣＰＵ
３０４ａやメモリ３０４ｂ等を作動させ、副モニター画面３０３に、リアルタイムで市場動向をモニタリングするためのチャート画面を表示させる。ここで、副モニターユニット３が、独立した通話・通信回路を使用した通話・通信回路３ａにより基地局等を介して、直接に通信先と応答し必要な情報を取得することができる。
【００４７】
利用者は、副モニター画面３０３に表示させたチャート画面をモニタリングし、売買のタイミングが到来したと判断した時は、主モニター画面２０３に表示させた取引画面から売買の注文を行なう。ここで、上記取引画面を介した情報入力手段は、直感的な操作を実現するという観点から主モニター画面２０３のタッチパネルとしての機能を利用したものが推奨されるが、本体ユニット１の操作ボタン１０２の操作を介したものであってもよい。
【００４８】
この方法によれば、チャート画面を閲覧し市場動向をモニタリングしているのと同時にすでに取引画面を立ち上げて表示しているため、売買のタイミングを判断してから遅滞なく注文を確定し送信を行うことができ、取引機会を逸することがない。また、各画面を別々のモニター画面に表示させているためミスタッチ等の誤操作を減らすことができる。
【００４９】
さらに、本体ユニット１と主モニターユニット２および副モニターユニットとは、各係合部が着脱可能であるから、それぞれのユニットを別々の位置に機器を置けるため、ユーザーにとって最も操作性が高くなるような任意の位置に機器を配置することができる。
【００５０】
上記のように、本実施形態による携帯電話機Ｍの、主モニターユニット２と副モニターユニット３を有することによりディスプレイ表示面積が広くとれるという特性、また、それぞれのモニター画面に異なる内容の画面を同時に表示させられるという特性、そして、本体ユニット１と主モニターユニット２とを随意に配置できるという特性を活用することで、オンライントレーディングの用途において好適な使用を実現できる。
【図面の簡単な説明】
【００５１】
【図１】本発明の一実施形態による携帯電話機の機器構成図。
【図２】同実施形態における折畳んだ態様を示す図
【図３】同実施形態における
【図４】実施形態における携帯通信機の機能構成図
【図５】同実施形態における携帯通信機のいずれのユニットの通話・通信回路が有効に作用するかを示す表図
【符号の説明】
【００５２】
１・・・・・本体ユニット
１０・・・・本体ユニット筐体
１０２・・・操作ボタン
１０４・・・本体ユニット制御部
１０４ａ・・ＣＰＵ 
１０４ｂ・・メモリ
１ａ・・・・対通信先用通信手段
１ｂ・・・・対モニターユニット用通信手段
１ｃ・・・・モニターユニット接続検知手段
２・・・・・主モニターユニット
２０・・・・主モニターユニット筐体
２０３・・・主モニター画面
２０４・・・主モニターユニット制御部
２０４ａ・・ＣＰＵ 
２０４ｂ・・メモリ
２ａ・・・・主モニターユニット対通信先用通信手段
２ｂ・・・・対本体ユニット用通信手段
２ｃ・・・・主モニター表示手段
３・・・・・副モニターユニット
３０・・・・副モニターユニット筐体
３０３・・・副モニター画面
３０４・・・副モニターユニット制御部
３０４ａ・・ＣＰＵ 
３０４ｂ・・メモリ
３ａ・・・・副モニターユニット対通信先用通信手段
３ｂ・・・・対本体ユニット用通信手段
３ｃ・・・・副モニター表示手段
Ｃ２・・・・主モニターユニット係合部
Ｃ２・・・・副モニターユニット係合部
Ｍ・・・・・携帯電話機
【図１】
0005709411.tif 000002
【図２】
0005709411.tif 000003
【図３】
0005709411.tif 000004
【図４】
0005709411.tif 000005
【図５】
0005709411.tif 000006